(57)【特許請求の範囲】
【請求項１】
両端部に形成されたフランジ間にコイルが巻回される筒状の巻線部と、この巻線部の上記フランジに一体成形された端子植設部とを備え、上記端子植設部に上記コイルの端部が巻回される複数本の端子が植設されたボビンにおいて、
上記複数本の端子は、上記コイルの端部が巻回される絡げ端部を上記端子植設部の一の外周面から一列をなすように突出させ、かつ他端部の接続端部を上記端子植設部の他の外周面から一列をなすように突出させるとともに、上記絡げ端部と接続端部との間の中間部分が、各々の軸線の上記接続端部側への延長線を交差させた放射状に配置されることにより、隣接する上記接続端部の間隔が、上記絡げ端部の間隔よりも小さく設定され、かつ上記接続端部の先端を、互いに等間隔をおいて一直線上に位置させるとともに、上記絡げ端部を円弧上に位置させて上記端子植設部に固定されていることを特徴とするボビン。
【発明の詳細な説明】
【技術分野】
【０００１】
本発明は、ステッピングモータ等の各種のモータにおいて、コイルが巻回されるとともに、当該コイルの端部が絡げられる端子が植設されたボビンに関するものである。
【背景技術】
【０００２】
周知のように、ステッピングモータは、コイルが巻回されたボビンに磁気回路を構成するためのヨークが一体的に設けられた筒状のステータと、このステータ内に回転自在に設けられるとともに外周部が着磁されたロータとから概略構成されたものである。
そして、通常上記ボビンには、コイルの端部が一端部に巻回されるとともに他端部が外部接続部との接続端部となる端子が植設された、端子台やコネクタ等の端子植設部が一体に形成されている。
【０００３】
図５〜図８は、先に本出願人が下記特許文献１において提案したこの種のボビンを備えたステッピングモータのステータ部分を示すものである。
このステータ２０は、磁気回路を構成するための複数のヨーク２１と、これらのヨーク２１を一体的に保持する絶縁性の合成樹脂からなるボビン２２と、ボビン２２の巻線部２３に巻回されるコイル（図示を略す。）を備えたものであり、上記ボビン２２の軸線方向の一端部に、上記軸線方向に開口する筒状のコネクタ部２４を備えた端子植設部２５が一体成形されている。
【０００４】
ここで、端子植設部２５には、ボビン２２に巻回されたコイルを図示しない雌コンタクトに接続するための複数本（この実施の形態では６本）の端子２６が植設されている。そして、これら複数本の端子２６は、接続端部２６ａをコネクタ部２４内の端面から突出させるとともに、端子植設部２５内において上記接続端部２６ａに対して９０°屈曲されて、他端部が絡げ端部２６ｂとしてコイルに隣接した端子植設部２５の外周面２５ａから突出させている。
【０００５】
また、上記複数本の端子２６は、互いに等間隔をおいて端子植設部２５内にインサート成形されることにより、接続端部２６ａおよび絡げ端部２６ｂが、隣接するものとの間に上記間隔をおいて一直線上に配置されている。
【先行技術文献】
【特許文献】
【０００６】
【特許文献１】特開２００５−０２０９３８号公報
【発明の概要】
【発明が解決しようとする課題】
【０００７】
ところで、近年における電気機器類の小型化に伴い、ステッピングモータに対しても、コネクタ部２４内において隣接する接続端部２６ａのピッチを、例えば１．５ｍｍといった狭ピッチにする仕様が多くなりつつある。
【０００８】
しかしながら、従来から端子植設部２５に端子２６を等間隔で配置することが一般的であるために、外周面２５ａから突出する絡げ端部２６ｂのピッチも、同様の狭ピッチにせざるを得なくなる。このため、絡げ装置によってコイルの端部を把持して、絡げ端部２６ｂに機械的に巻回する際に、上記絡げ装置のコイル把持部分が、隣接する絡げ端部２６ｂに干渉して当該作業を行うことができなくなるという問題が生じる。
【０００９】
本発明は、上記事情に鑑みてなされたものであり、接続端子間に狭ピッチを実現することができるとともに、絡げ端子にもコイルの端部を機械的に巻回することが可能になるボビンを提供することを課題とするものである。
【課題を解決するための手段】
【００１０】
上記課題を解決するため、請求項１に記載の発明は、両端部に形成されたフランジ間にコイルが巻回される筒状の巻線部と、この巻線部の上記フランジに一体成形された端子植設部とを備え、上記端子植設部に上記コイルの端部が巻回される複数本の端子が植設されたボビンにおいて、上記複数本の端子は、上記コイルの端部が巻回される絡げ端部を上記端子植設部の一の外周面から一列をなすように突出させ、かつ他端部の接続端部を上記端子植設部の他の外周面から一列をなすように突出させるとともに、上記絡げ端部と接続端部との間の中間部分が、各々の軸線の上記接続端部側への延長線を交差させた放射状に配置されることにより、隣接する上記接続端部の間隔が、上記絡げ端部の間隔よりも小さく設定され、かつ上記接続端部の先端を、互いに等間隔をおいて一直線上に位置させるとともに、上記絡げ端部を円弧上に位置させて上記端子植設部に固定されていることを特徴とするものである。
【００１２】
なお、本発明において、絡げ端部と接続端部との間の中間部分が、各々の軸線の上記接続端部側への延長線を交差させた放射状に配置されるとは、複数本の端子の中間部分の軸線を、上記接続端部側への延長線において１点で交差させることに限定されるものではなく、互いに他の軸線の延長線と交差させればよく、これにより上記一の外周面側または上記他の外周面側からの平面視において、隣接する端子の上記中間部分の間隔が、上記接続端部側から上記絡げ端部側に向けて漸次大きくなるように配置されていればよい。
【発明の効果】
【００１３】
請求項１に記載の発明によれば、端子植設部に複数本の端子を、各々の軸線の接続端部側への延長線が交差するように、絡げ端部と接続端部との間の中間部分を放射状に配置しているために、隣接する上記接続端部の間隔が、上記絡げ端部の間隔よりも小さくなる。
【００１４】
この結果、端子植設部の上記他の外周面から一列をなすように突出させた接続端部のピッチを、要求される狭ピッチに設定した場合においても、上記端子植設部の上記一の外周面から一列をなすように突出させた絡げ端部のピッチをより広く確保することができ、よって隣接する絡げ端子との干渉を生じさせることなく、当該絡げ端子にコイルの端部を機械的に巻回することが可能になる。
【００１５】
また、複数本の端子を、互いの中間部分が放射状となるように配置した場合に、接続端部の先端を等間隔において一直線上に位置させ、かつ絡げ端部を円弧上に位置させることにより、上記複数本の端子として、同形状のものを用いることが可能になる。
【００１６】
この際に、接続端部の先端を、等間隔をおいて一直線上に位置させているために、外部接続部との接続に支障を来すことが無く、しかも絡げ端部が円弧上に配置されているために、端子植設部における上記一の外周面における面積を増大させることなく、かつ隣接する絡げ端部との間隔もより一層広く確保することが可能になる。
【図面の簡単な説明】
【００１７】
【図１】本発明に係るボビンの一実施形態を示す平面図である。
【図２】図１の正面図である。
【図３】図１の側面図である。
【図４】図１の底面図である。
【図５】従来のボビンを備えたステッピングモータのステータ部分を示す正面図である。
【図６】図５の縦断面図である。
【図７】図１の平面図である。
【図８】図７の左側面図である。
【発明を実施するための形態】
【００１８】
図１〜図４は、本発明に係るボビンをステッピングモータのボビンに適用した一実施形態を示すもので、図中符号１が、両端部にフランジ２が形成されて外周にコイルが巻回される円筒状の巻線部である。そして、この巻線部１の一端部側のフランジ２の外端面２ａに、端子植設部３が一体成形されている。
【００１９】
この端子植設部３は、フランジ２の外端面２ａの外周縁部から巻線部１の軸線Ｃ方向外方へと突出する脚部４と、この脚部４の先端部から径方向外方へと突出する方形板状の植設部５とから概略構成されたもので、植設部５の長手方向に略等間隔をおいて複数本（図では５本）の端子６が一列をなすように植設されている。
【００２０】
ちなみに、これら端子６は、互いに同一形状の部材で、巻線部１および端子植設部５を射出成形によって一体成形した後に、圧入によって端子植設部５内に埋設されたものである。
【００２１】
これら端子６は、各々植設部５内において９０°に屈曲されることにより、巻線部１に巻回されたコイルの端部が接続される絡げ端子６ａを、植設部５の上記軸線Ｃ方向に面する外周面（一の外周面）５ａから突出させている。また、これら端子６は、各々の他端部を、上記外周面５ａと直交するとともに巻線部１の径方向外方に位置する外周面５ｂから突出させ、さらに９０°屈曲されることによって形成された接続端部６ｂが、巻線部１側に上記軸線Ｃと略平行に配置されている。
【００２２】
ここで、上記端子６は、図１および図４に示すように、絡げ端部６ａと接続端部６ｂとの間の中間部分６ｃが、各々の軸線の接続端部６ｂ外方への延長線Ｃ１を１点Ｐにおいて交差させた放射状に配置されている。これにより、隣接する接続端部６ｂの間隔が、絡げ端部６ａの間隔よりも小さく設定されている。
【００２３】
さらに、これら端子６は、互いの接続端部６ｂの先端が、等間隔をおいて一直線上に位置するように配置されており、この結果絡げ端部６ａは、上記交点Ｐを中心とする円弧上に配置されている。
【００２４】
そして、上記構成からなるボビンの他方のフランジ２側に、同形の巻線部１とフランジ２とを備えたボビンが同軸的に配置されるとともに、互いの巻線部１の内周面に周方向に複数の極歯を配置したヨークが配置され、両ボビンの上記巻線部１に巻回されたコイルの端部が、上記端子６の絡げ端部６ａに接続されることにより、ステッピングモータのステータが構成されている。
【００２５】
以上の構成からなるボビンによれば、端子植設部５に５本の端子６を、各々の軸線の接続端部６ｂ側への延長線Ｃ１が１点Ｐにおいて交差するように、絡げ端部６ａと接続端部６ｂとの間の中間部分６ｃを放射状に配置しているために、隣接する接続端部６ｂの間隔が、絡げ端部６ａの間隔よりも小さくなる。
【００２６】
これにより、軸線Ｃ方向に面する植設部５の外周面５ａから一列をなすように突出させた接続端部６ｂのピッチを、例えば１．５ｍｍといった狭ピッチに設定した場合においても、植設部５の隣接する外周面５ｂから突出させた絡げ端部６ａのピッチをより広く確保することができる。この結果、絡げ装置等を用いて、隣接する絡げ端子６ａとの干渉を生じさせることなく、これら絡げ端子６ａにコイルの端部を機械的に巻回することが可能になる。
【００２７】
また、複数本の端子６を、互いの中間部分６ｃが放射状となるように配置した場合に、図４に示すように、隣接する接続端部６ｂの先端が等間隔をおいて一直線上となるように配置し、かつ図１に示すように、絡げ端部６ａを、上記延長線Ｃ１の交点Ｐを中心とする円弧上に配置させることにより、本実施形態において示したように、５本の端子６として、同形状のものを用いることが可能になる。
【００２８】
しかも、接続端部６ｂの先端を、等間隔をおいて一直線上に位置させているために、外部接続部との接続に支障を来すことが無く、しかも絡げ端部６ａが円弧上に配置されているために、植設部５における外周面５ａの突出寸法を増大させることなく、かつ隣接する絡げ端部６ａとの間隔を一層広く確保することができる。
【符号の説明】
【００２９】
１  巻線部
２  フランジ
３  端子植設部
５  植設部
５ａ  一の外周面
５ｂ  他の外周面
６  端子
６ａ  絡げ端部
６ｂ  接続端部
６ｃ  中間部分
Ｃ  軸線
Ｃ１  延長線
Ｐ  交点
【図１】
0005849835.tif 000002
【図２】
0005849835.tif 000003
【図３】
0005849835.tif 000004
【図４】
0005849835.tif 000005
【図５】
0005849835.tif 000006
【図６】
0005849835.tif 000007
【図７】
0005849835.tif 000008
【図８】
0005849835.tif 000009